(57)【要約】【課題】簡単な操作により、閲覧中の画像に対する所望の機能を実行できるようにする。【解決手段】液晶パネル７には、画像Ｉｍ１が表示される。画像Ｉｍ１の左下コーナー付近と右上コーナー付近に、親指Ｆ１および人差し指Ｆ２が触れられる。親指Ｆ１と人差し指Ｆ２とを近づけることで画像Ｉｍ１をつまむ操作がなされる。画像Ｉｍ１をつまむ操作により画像Ｉｍ１が縮小して、縮小画像Ｉｍ２が表示される。画像Ｉｍ１が縮小することで生じた液晶パネル７の画像のない領域に、ゴミ箱アイコンＴｒが表示される。つまむ操作がなされたまま、親指Ｆ１と人差し指Ｆ２とを動かすことで、縮小画像Ｉｍ２がゴミ箱アイコンＴｒに近づけられる。そして、縮小画像Ｉｍ２およびゴミ箱アイコンＴｒが液晶パネル７から消去され、縮小画像Ｉｍ２に対応する画像Ｉｍ１の画像データを削除する処理が実行される。【選択図】図４
2014209396.tif 000002
【特許請求の範囲】
【請求項１】
画面に表示されたコンテンツを縮小し、前記コンテンツ表示の縮小に伴って生じる前記画面の前記コンテンツが表示されていない領域に、前記縮小された縮小コンテンツ表示に対する操作を示す表示情報を表示させる表示制御部と、
前記縮小コンテンツ表示の、前記画面における前記表示情報に対応する領域への移動に伴い、前記操作に対応する処理を実行する処理部と
を備え、
前記表示制御部は、
前記縮小コンテンツ表示の前記表示情報への接近に伴い、前記処理を実行する準備状態の表示を行う表示制御装置。
【請求項２】
前記画面に対して位置指示操作を行う位置入力部を備える請求項１に記載の表示制御装置。
【請求項３】
前記位置指示操作は、前記画面の所定位置に接触、または、該所定位置に近接する操作である請求項２に記載の表示制御装置。
【請求項４】
前記所定位置は、前記画面上の１箇所の位置である請求項３に記載の表示制御装置。
【請求項５】
前記所定位置は、前記画面上の２箇所以上の位置である請求項３に記載の表示制御装置。
【請求項６】
前記所定位置は、前記画面の２箇所の位置であり、
前記表示制御部は、前記２箇所に基づく方向に対して前記表示情報を表示する請求項５に記載の表示制御装置。
【請求項７】
前記所定位置は、前記画面の２箇所の位置であり、
前記表示制御部は、前記２箇所の位置を近づける操作に応じて前記コンテンツを縮小する請求項５に記載の表示制御装置。
【請求項８】
前記画面が複数の領域に分割され、前記表示情報は、前記縮小コンテンツ表示が表示される領域とは異なる領域に表示され、
前記表示情報が表示される領域に前記縮小コンテンツ表示が移動されると、前記処理を実行する準備状態の表示を行う請求項１に記載の表示制御装置。
【請求項９】
前記表示情報の表示態様を変化させることで、前記準備状態の表示を行う請求項１乃至８のいずれか１項に記載の表示制御装置。
【請求項１０】
前記準備状態とされた後にキャンセル操作がなされると、前記処理がキャンセルされる請求項１乃至９のいずれか１項に記載の表示制御装置。
【請求項１１】
前記画面が分割されることで複数の領域が形成され、
前記縮小コンテンツ表示が表示される領域内において複数の領域を有する仮想領域が設定され、
前記仮想領域において、前記縮小コンテンツ表示が表示される領域とは異なる領域に前記表示情報が表示される請求項１に記載の表示制御装置。
【請求項１２】
表示制御部が、画面に表示されたコンテンツを縮小し、前記コンテンツ表示の縮小に伴って生じる前記画面の前記コンテンツが表示されていない領域に、前記縮小された縮小コンテンツ表示に対する操作を示す表示情報を表示させ、
処理部が、前記縮小コンテンツ表示の、前記画面における前記表示情報に対応する領域への移動に伴い、前記操作に対応する処理を実行し、
前記表示制御部が、前記縮小コンテンツ表示の前記表示情報への接近に伴い、前記処理を実行する準備状態の表示を行う表示制御方法。
【請求項１３】
表示制御部が、画面に表示されたコンテンツを縮小し、前記コンテンツ表示の縮小に伴って生じる前記画面の前記コンテンツが表示されていない領域に、前記縮小された縮小コンテンツ表示に対する操作を示す表示情報を表示させ、
処理部が、前記縮小コンテンツ表示の、前記画面における前記表示情報に対応する領域への移動に伴い、前記操作に対応する処理を実行し、
前記表示制御部が、前記縮小コンテンツ表示の前記表示情報への接近に伴い、前記処理を実行する準備状態の表示を行う表示制御方法をコンピュータに実行させるためのプログラム。
【請求項１４】
表示制御部が、画面に表示されたコンテンツを縮小し、前記コンテンツ表示の縮小に伴って生じる前記画面の前記コンテンツが表示されていない領域に、前記縮小された縮小コンテンツ表示に対する操作を示す表示情報を表示させ、
処理部が、前記縮小コンテンツ表示の、前記画面における前記表示情報に対応する領域への移動に伴い、前記操作に対応する処理を実行し、
前記表示制御部が、前記縮小コンテンツ表示の前記表示情報への接近に伴い、前記処理を実行する準備状態の表示を行う表示制御方法をコンピュータに実行させるためのプログラムを記録した記録媒体。
【発明の詳細な説明】
【技術分野】
【０００１】
本開示は、表示制御装置および表示制御方法、表示制御プログラム、記録媒体に関する。
【背景技術】
【０００２】
近年、液晶画面に画像を表示させ、表示画像を切り替えることで複数の画像を閲覧できる装置が普及している。このような装置において画像を閲覧する際には、液晶画面にできるだけ不要な表示をせずに画像を主体的に表示することが望ましい。他方で、閲覧中の画像が不要であれば、簡単な操作によって当該画像を削除できることが望まれる。下記特許文献１には、メモリカードに記録された画像を読み出して液晶モニタに表示し、表示した画像を削除できるようにしたカメラが記載されている。
【先行技術文献】
【特許文献】
【０００３】
【特許文献１】特開２００２−１７６５７８号公報
【発明の概要】
【発明が解決しようとする課題】
【０００４】
特許文献１に記載されているように、閲覧中の画像データを削除するには次のような操作が必要とされる。すなわち、メニュー画面を表示させてメニューから削除機能を呼び出す操作と、削除機能の実行を指示する操作と、削除機能の実行確認に対して再度、削除機能の実行を指示する操作とが必要とされる。このような操作が必要とされるため、削除対象の画像データが多くなると、画像データを削除する操作数が多くなってしまう。また、ジェスチャー操作によって操作数を少なくすることもできるが、機能毎のジェスチャー操作の内容をユーザが記憶しておかなければならない。
【０００５】
したがって、閲覧時には画像を表示画面に主体的に表示させるとともに、簡単な操作により画像に対する所望の機能を実現できる表示制御装置および表示制御方法、表示制御プログラム並びに記録媒体を提供することを目的とする。
【課題を解決するための手段】
【０００６】
上述した課題を解決するために、本開示の装置は、画面に表示されたコンテンツを縮小し、コンテンツ表示の縮小に伴って生じる画面のコンテンツが表示されていない領域に、縮小された縮小コンテンツ表示に対する操作を示す表示情報を表示させる表示制御部と、縮小コンテンツ表示の、画面における表示情報に対応する領域への移動に伴い、操作に対応する処理を実行する処理部とを備え、表示制御部は、縮小コンテンツ表示の表示情報への接近に伴い、処理を実行する準備状態の表示を行う表示制御装置である。
【０００７】
また、本開示の方法は、表示制御部が、画面に表示されたコンテンツを縮小し、コンテンツ表示の縮小に伴って生じる画面のコンテンツが表示されていない領域に、縮小された縮小コンテンツ表示に対する操作を示す表示情報を表示させ、処理部が、縮小コンテンツ表示の、画面における表示情報に対応する領域への移動に伴い、操作に対応する処理を実行し、表示制御部が、縮小コンテンツ表示の表示情報への接近に伴い、処理を実行する準備状態の表示を行う表示制御方法である。
【０００８】
また、本開示のプログラムは、表示制御部が、画面に表示されたコンテンツを縮小し、コンテンツ表示の縮小に伴って生じる画面のコンテンツが表示されていない領域に、縮小された縮小コンテンツ表示に対する操作を示す表示情報を表示させ、処理部が、縮小コンテンツ表示の、画面における表示情報に対応する領域への移動に伴い、操作に対応する処理を実行し、表示制御部が、縮小コンテンツ表示の表示情報への接近に伴い、処理を実行する準備状態の表示を行う表示制御方法をコンピュータに実行させるためのプログラムである。
【０００９】
また、本開示の記録媒体は、表示制御部が、画面に表示されたコンテンツを縮小し、コンテンツ表示の縮小に伴って生じる画面のコンテンツが表示されていない領域に、縮小された縮小コンテンツ表示に対する操作を示す表示情報を表示させ、処理部が、縮小コンテンツ表示の、画面における表示情報に対応する領域への移動に伴い、操作に対応する処理を実行し、表示制御部が、縮小コンテンツ表示の表示情報への接近に伴い、処理を実行する準備状態の表示を行う表示制御方法をコンピュータに実行させるためのプログラムを記録した記録媒体である。
【発明の効果】
【００１０】
少なくとも一つの実施例によれば、画像を閲覧している際には、画像を主体的に表示させることができる。また、画像を閲覧している状態からメニュー画面などに遷移する操作を経ることなく、閲覧中の画像に対して所望の機能を実現する操作を行うことができる。
【図面の簡単な説明】
【００１１】
【図１】一実施形態における表示制御装置の構成を示すブロック図である。
【図２】一実施形態における液晶パネルに表示される画像の一例を示す略線図である。
【図３】一実施形態における指の一例を示す略線図である。
【図４】一実施形態における処理の概要を示す略線図である。
【図５】一実施形態における処理の流れを示すフローチャートである。
【図６】一実施形態における液晶パネルの分割例を示す略線図である。
【図７】変形例における仮想領域を説明するための略線図である。
【図８】変形例における処理を説明するための略線図である。
【図９】変形例における処理の流れを説明するためのフローチャートである。
【図１０】変形例における処理を説明するための略線図である。
【図１１】変形例における処理を説明するための略線図である。
【図１２】変形例における処理を説明するための略線図である。
【図１３】変形例における処理を説明するための略線図である。
【図１４】変形例における処理を説明するための略線図である。
【図１５】変形例における処理を説明するための略線図である。
【図１６】変形例における処理を説明するための略線図である。
【図１７】変形例における処理を説明するための略線図である。
【図１８】変形例における処理を説明するための略線図である。
【図１９】変形例における処理を説明するための略線図である。
【図２０】変形例における処理を説明するための略線図である。
【図２１】変形例における処理を説明するための略線図である。
【発明を実施するための形態】
【００１２】
以下、一実施形態および変形例について図面を参照しながら説明する。なお、説明は以下の順序で行う。
＜一実施形態＞
＜変形例＞
なお、以下に説明する実施形態等は好適な具体例であり、技術的に好ましい種々の限定が付されているが、以下の説明において、明示的に限定する旨の記載がない限り、これらの実施形態等に限定されないものとする。
【００１３】
＜一実施形態＞
１．表示制御装置の構成
図１は、この一実施形態における表示制御装置１０の主要な構成例を示す。表示制御装置１０は、例えば、パーソナルコンピュータ、ノート型パーソナルコンピュータ、携帯可能なタブレット型のコンピュータ、ディジタルカメラなどの撮像装置、携帯音楽プレーヤ、携帯電話に適用できる。図１に示す構成例は、表示制御装置１０の主要な構成例であり、表示制御装置が適用される装置に応じて種々の構成が追加されてもよいことは言うまでもない。
【００１４】
表示制御装置１０は、装置全体を制御するＣＰＵ(Central Processing Unit)１を有する。ＣＰＵ１に対してＲＯＭ(Read Only Memory)２およびＲＡＭ(Random Access Memory)３、ディジタル信号処理部４、タッチパネル５が接続される。ＣＰＵ１は、表示制御部および処理部の一例であり、例えばＲＯＭ２に記録されているプログラムを実行することで、表示制御装置１０の各部を制御する。ＲＡＭ３は、例えば、ＣＰＵ１がプログラムを実行する際のワークメモリとして使用される。
【００１５】
ディジタル信号処理部４は、ＣＰＵ１による制御に応じて種々の信号処理を実行する。以下、ディジタル信号処理部４により実行される処理の例を説明する。ディジタル信号処理部４は、例えば、記録デバイス６に記録された画像データを読みだし、読みだした画像データを解凍する処理を行う。解凍処理がなされた画像データに対して所定の信号処理が行われ、画像データがアナログ信号へと変換される。アナログ信号へと変換された画像データが液晶パネル７に供給され、液晶パネル７に画像データに対応する画像が表示される。
【００１６】
ディジタル信号処理部４は、記録デバイス６に記録されている所定の画像データを削除する処理を行う。さらに、ディジタル信号処理部４は、ＣＰＵ１による制御に応じて、液晶パネル７に表示されている画像を縮小する。液晶パネル７に表示されている画像の画像データに対してディジタル信号処理部４により縮小加工処理が行われ、縮小加工処理が行われた画像データが液晶パネル７に供給される。すると、液晶パネル７には、縮小画像が表示される。この他にも、縮小画像に代えて元の画像データが表示される処理がディジタル信号処理部４によって行われる。
【００１７】
記録デバイス６は、表示制御装置１０に対して着脱可能とされる記録媒体とされ、例えば、ＵＳＢ(Universal Serial Bus)メモリとされる。記録デバイス６は、着脱自在とされる記録媒体でなく、表示制御装置１０に内蔵されるハードディスク等でもよい。記録デバイス６には、コンテンツの一例として画像データが記録される。
【００１８】
液晶パネル７には、画像データに対応する画像が表示される。液晶パネル７には、画像だけでなくメニュー画面や操作補助のための情報など、表示制御装置１０が有するアプリケーション機能に対応した情報が表示される。液晶パネル７は、有機ＥＬ(Electro Luminescence)からなるパネルでもよい。
【００１９】
液晶パネル７は、タッチパネルとして構成され、液晶パネル７とタッチパネル５とが物理的に一体化されている。この一実施形態では、タッチパネルの方式は静電容量方式とされるが、抵抗膜方式や光学方式、超音波方式など種々の方式を採用してもよい。
【００２０】
位置入力部の一例であるタッチパネル５は、各タッチパネルの方式に応じた回路を備え、液晶パネル７に対してなされた操作の位置を検出する。例えば、液晶パネル７をユーザが触れる位置指示操作がなされると、タッチパネル５は、位置指示操作がなされた液晶パネル７上の位置座標を検出する。
【００２１】
タッチパネル５は、液晶パネル７に近接する位置指示操作によって座標位置入力が可能とされる。例えば、タッチパネル５に微小な静電容量を検出するセンサを組み込むことで、液晶パネル７から数センチ離れてなされた位置指示操作を検出できる。人体から発せられるわずかな赤外線を検出する焦電素子を使用して、液晶パネル７に近接する位置指示操作を検出してもよい。
【００２２】
液晶パネル７に近接する位置指示操作を可能とすることで以下の効果が得られる。すなわち、液晶パネル７に直接触れないため、液晶パネル７と指との間に摩擦が生じることがなく操作を容易に行える。また、操作における指の緊張感が低減される、液晶パネル７に表示されている画像を確認しながら操作できる、などの効果が得られる。
【００２３】
タッチパネル５において検出された位置座標がディジタル信号へと変換され、ディジタル信号がＣＰＵ１に対して供給される。ＣＰＵ１は、タッチパネル５から供給された位置座標を示す信号に応じた処理を行う。以上がこの一実施形態における表示制御装置１０の主要な構成である。
【００２４】
２．表示画像例
次に、液晶パネル７に表示される画像について説明する。図２は、この一実施形態における液晶パネル７に表示される画像Ｉｍ１の一例を示す。画像Ｉｍ１は、例えば略矩形とされ、垂直方向の長さがＨとされる。画像Ｉｍ１に対応する画像データが記録デバイス６に記録される。
【００２５】
この一実施形態では、液晶パネル７に表示された画像Ｉｍ１に対して２本の指を使用した操作がなされる。図３は、この一実施形態における操作に使用される指を模式的に示したものである。指の爪先から指の腹までの長さがｘとされる。なお、図３では１本の指しか示していないが、操作に２本以上の指を使用する場合はいずれか一つの指でよい。例えば、親指と人さし指とを使用して操作を行う場合は、親指の爪先から指の腹までの長さがｘとされる。
【００２６】
３．処理の概要
次に、図４Ａ〜図４Ｅを参照して、この一実施形態における処理の概要について説明する。図４Ａに示すように、液晶パネル７に画像Ｉｍ１が表示される。
【００２７】
次に、画像Ｉｍ１の２箇所の位置を指示する位置指示操作がユーザによりなされる。例えば、画像Ｉｍ１の図面に向かって左下のコーナーと右上のコーナーとを結ぶ対角線上の２箇所を、親指Ｆ１と人差し指Ｆ２とを使用して略同時に指示する位置指示操作がなされる。２箇所の位置は、画像Ｉｍ１の大きさにより異なるが、例えば、画像Ｉｍ１の左下のコーナー付近および右上のコーナー付近とされる。そして、対角線上を沿うように親指Ｆ１と人差し指Ｆ２とを互いに近づけることで画像Ｉｍ１をつまむ操作がなされる。
【００２８】
親指Ｆ１および人差し指Ｆ２を互いに近づける動きに追従して、図４Ｂに示すように、画像Ｉｍ１が縮小する。そして、画像Ｉｍ１が縮小した縮小画像Ｉｍ２が液晶パネル７に表示される。縮小画像Ｉｍ２は、親指Ｆ１と人差し指Ｆ２とをつまんだ位置の近傍に表示される。また、画像Ｉｍ１が縮小画像Ｉｍ２へと縮小することに伴って生じる画像のない領域に、ゴミ箱アイコンＴｒが表示される。このゴミ箱アイコンＴｒが縮小画像Ｉｍ２に対する操作を示す表示情報の一例である。
【００２９】
図４Ｂおよび図４Ｃに示すように、縮小画像Ｉｍ２をつまむ状態を維持したまま、親指Ｆ１および人差し指Ｆ２を動かす操作がなされる。親指Ｆ１および人差し指Ｆ２を動かす操作に追従して、縮小画像Ｉｍ２の表示位置が変化する。縮小画像Ｉｍ２とゴミ箱アイコンＴｒとの距離が所定値以下になる位置に縮小画像Ｉｍ２が移動されると、ゴミ箱アイコンＴｒのゴミ箱の蓋が開く。そして、タッチパネル５において親指Ｆ１または人差し指Ｆ２の位置が検出できなくなると、図４Ｄに示すように縮小画像Ｉｍ２とゴミ箱アイコンＴｒとが液晶パネル７から消去される。このとき、ＣＰＵ１の制御によりディジタル信号処理部４が、縮小画像Ｉｍ２に対応する画像Ｉｍ１の画像データを削除する。
【００３０】
縮小画像Ｉｍ２とゴミ箱アイコンＴｒが液晶パネル７から消去されると、図４Ｅに示すように、次の閲覧対象である画像Ｉｍ３が液晶パネル７に表示される。画像Ｉｍ３に対しても画像Ｉｍ１に対する操作と同様の操作で画像データの削除処理を行うことができる。
【００３１】
４．処理の詳細
次に、図５に示すフローチャートを参照して、この一実施形態における処理の詳細を説明する。図５に示す処理は、ＣＰＵ１による制御によって実行される。ステップＳ１では、液晶パネル７に画像Ｉｍ１が表示される。そして、処理がステップＳ２に進む。
【００３２】
ステップＳ２では、図３を参照して説明したｘの値が検出される。この一実施形態では、ｘの値は、例えば、親指Ｆ１の爪先から腹までの長さとされる。ｘの値は、例えば、センサ（図示は省略している）により検出される。ｘの値が事前にユーザによって設定されてもよい。一般的なユーザの平均値であるｘの値が予め設定されていてもよい。検出されたｘの値は、例えば、ＲＡＭ３に記憶される。そして、処理がステップＳ３に進む。
【００３３】
ステップＳ３では、液晶パネル７に表示された画像Ｉｍ１に親指Ｆ１と人差し指Ｆ２とが触れられる。親指Ｆ１と人差し指Ｆ２によって、画像Ｉｍ１の左下のコーナーと右上のコーナーとを結ぶ対角線上の２箇所の位置に対して位置指示操作がなされる。液晶パネル７に対して親指Ｆ１および人差し指Ｆ２を略同時に触れると、タッチパネル５がそれぞれの指が触れた液晶パネル７上の位置座標を検出する。親指Ｆ１が触れた液晶パネル７の位置座標をＡ（ｘ１，ｙ１）とし、人差し指Ｆ２が触れた液晶パネル７の位置座標をＢ（ｘ２，ｙ２）とする。検出されたそれぞれの指の位置座標はＣＰＵ１が解釈できる信号へと変換され、変換された信号がＣＰＵ１に対して供給される。
【００３４】
親指Ｆ１および人差し指Ｆ２が動かされることで、Ａ点とＢ点との２点間の距離が変化する。例えば、親指Ｆ１と人差し指Ｆ２とを近づけるように動かして画像Ｉｍ１をつまむ操作がなされる。つまむ操作に応じて２点間の距離が短くなる。２点間の距離が短くなることに追従して画像Ｉｍ１が縮小される。Ａ点とＢ点との２点間の距離は、タッチパネル５からリアルタイムに供給されるＡ点およびＢ点の位置座標を使用してＣＰＵ１により算出される。そして、処理がステップＳ４に進む。
【００３５】
ステップＳ４では、ＡＢ間の距離が所定値ｗ１以下であるか否かが判定される。所定値ｗ１は予め設定された値とされ、例えば、図３を使用して説明した画像Ｉｍ１の垂直方向の長さＨの１／３とされる。なお、ＡＢ間の距離を所定値ｗ１と比較するのではなく、相対的な長さと比較してもよい。例えば、ＡＢ間の距離がもとのＡＢ間の距離の１／３になったか否かを判定するようにしてもよい。
【００３６】
ＡＢ間の距離が所定値ｗ１以下でないと判定されると、処理がステップＳ４に戻りステップＳ４の判定処理を繰り返す。ＡＢ間の距離が所定値ｗ１以下であると判定されると、処理がステップＳ５に進む。
【００３７】
ステップＳ５では、画像Ｉｍ１を縮小する処理が行われる。すなわち、ＡＢ間の距離が所定値ｗ１以下になった場合には、画像Ｉｍ１を縮小する操作が行われているものとＣＰＵ１が判定して、画像Ｉｍ１を縮小する制御をＣＰＵ１が行う。例えば、２点間の距離が短くなる割合に応じて、画像Ｉｍ１の相似形である縮小画像Ｉｍ２が表示される。この処理は、ＣＰＵ１による制御によってディジタル信号処理部４が行う。そして、処理がステップＳ６に進む。
【００３８】
ステップＳ６では、２点間の距離が所定値ｗ２より小さいか否かがＣＰＵ１によって判定される。所定値ｗ２は、画像Ｉｍ１をそれ以上縮小することが困難となる値とされ、例えば、図３を参照して説明したｘの値とされる。２点間の距離が所定値ｗ２より小さくないと判定されると、ステップＳ６の判定処理を繰り返す。２点間の距離が所定値ｗ２より小さいと判定されると、処理がステップＳ７に進む。
【００３９】
ステップＳ７では、液晶パネル７にゴミ箱アイコンＴｒが表示される。ゴミ箱アイコンＴｒは、画像Ｉｍ１の縮小に伴って生じる画像のない領域に表示される。したがって、この段階ではゴミ箱アイコンＴｒおよび縮小画像Ｉｍ２が液晶パネル７に表示される。
【００４０】
ここで、ゴミ箱アイコンＴｒの表示方法について説明する。この一実施形態では、操作性を考慮したゴミ箱アイコンＴｒの表示を行うことができる。
【００４１】
図６に示すように、一例として液晶パネル７が水平方向（ｘ軸方向）および垂直方向（ｙ軸方向）を軸に４つ領域に分割される。液晶パネル７の、図面に向かって右上の領域を第１象限、左上の領域を第２象限、左下の領域を第３象限、右下の領域を第４象限とそれぞれ称する。なお、図面に示す液晶パネル７の分割線は画面上に表示してもしなくてもよい。後述する操作を表す矢印や画像の縮小態様を示す矢印についても同様である。
【００４２】
例えば、画像Ｉｍ１の左下コーナーと右上のコーナーを結ぶ対角線上に親指Ｆ１と人差し指Ｆ２が触れられる。親指Ｆ１および人差し指Ｆ２を近づける操作に追従して画像Ｉｍ１が縮小し、縮小画像Ｉｍ２が液晶パネル７に表示される。このとき、縮小画像Ｉｍ２が例えば、第１象限に表示されるとする。この一実施形態では、縮小画像Ｉｍ２が表示された象限と異なる象限にゴミ箱アイコンＴｒを表示させる。すなわち、ゴミ箱アイコンＴｒを第１象限とは異なる第３象限に表示させる。第３象限においてゴミ箱アイコンＴｒが表示される位置は、縮小画像Ｉｍ２に対して一定の距離を有するように適切に設定される。
【００４３】
なお、ゴミ箱アイコンＴｒを表示する位置は、上述した方法に限られない。親指Ｆ１と人差し指Ｆ２とが触れられた２箇所の位置に基づく方向にゴミ箱アイコンＴｒを表示させてもよい。画像Ｉｍ１の左下コーナーと右上のコーナーを結ぶ対角線上に親指Ｆ１と人差し指Ｆ２が触れられたことから、縮小画像Ｉｍ２が表示される第１象限と対角象限とされる第３象限にゴミ箱アイコンＴｒを表示させるようにすることもできる。
【００４４】
縮小画像Ｉｍ２が表示される象限に応じてゴミ箱アイコンＴｒが表示される象限が決定されてもよい。例えば、縮小画像Ｉｍ２が第３象限に表示される場合は、ゴミ箱アイコンＴｒを第４象限に表示させ、縮小画像Ｉｍ２が第４象限に表示される場合は、ゴミ箱アイコンＴｒを第３象限に表示させるようにしてもよい。ゴミ箱アイコンＴｒが表示される象限を予めユーザが設定できるようにしてもよい。このようにゴミ箱アイコンＴｒが表示される象限を適切に設定することで、ゴミ箱アイコンＴｒの方向に縮小画像Ｉｍ２を移動させる操作が容易になり、操作性が向上する。
【００４５】
再び、図５に示すフローチャートに戻り説明する。ステップＳ７においてゴミ箱アイコンＴｒが表示されると、処理がステップＳ８に進む。ステップＳ８では、つまむ操作なされたまま親指Ｆ１と人差し指Ｆ２とが動かされることで、縮小画像Ｉｍ２がゴミ箱アイコンＴｒの近傍に移動される。そして、縮小画像Ｉｍ２の重心ｃとゴミ箱アイコンＴｒの中心との距離が所定値ｗ３以下であるか否かが判定される。所定値ｗ３は、ゴミ箱アイコンＴｒの近傍を示す値であり、例えば、ゴミ箱アイコンＴｒの垂直方向の長さの１／２とされる。
【００４６】
縮小画像Ｉｍ２の重心ｃとゴミ箱アイコンＴｒの中心との距離が、所定値ｗ３以下でないと判定されると、処理がステップＳ８に戻りステップＳ８の判定処理を繰り返す。縮小画像Ｉｍ２の重心ｃとゴミ箱アイコンＴｒの中心との距離が所定値ｗ３以下であると判定されると、処理がステップＳ９に進む。
【００４７】
ステップＳ９では、操作に対応する処理を実行する準備状態の表示が行われる。準備状態の表示は、表示情報の表示態様を変化させることで行われ、例えば、ゴミ箱アイコンＴｒの蓋が開かれる表示がなされる。ゴミ箱アイコンＴｒの蓋が開くことで、画像データを削除する処理が行われることをユーザに報知できる。このとき、ゴミ箱アイコンＴｒの蓋を開くだけでなく、画像データが削除される旨のガイドメッセージを表示してもよい。そして、処理がステップＳ１０に進む。
【００４８】
ステップＳ１０では、キャンセル操作がなされたか否かが判定される。キャンセル操作は、例えば、ゴミ箱アイコンＴｒの近傍に近づけた縮小画像Ｉｍ２を、ゴミ箱アイコンＴｒから離すように移動する操作とされる。すなわち、画像Ｉｍ１をつまむ操作がなされたまま、縮小画像Ｉｍ２の重心ｃとゴミ箱アイコンＴｒが所定値ｗ３より大きい距離となるように縮小画像Ｉｍ２が戻される操作をいう。ステップＳ１０において、キャンセル操作がなされると、画像データを削除する処理がキャンセルされ、処理がステップＳ１に戻る。処理がステップＳ１に戻ると、縮小画像Ｉｍ２に代えて画像Ｉｍ１が液晶パネル７に表示される。
【００４９】
ステップＳ１０においてキャンセル操作がなされていないと判定されると、処理がステップＳ１１に進む。ステップＳ１１では、Ａ点またはＢ点が検出可能であるか否かが判定される。検出可能と判定されると、処理がステップＳ１０に戻りキャンセル操作がなされたか否かが判定される。Ａ点またはＢ点が検出できないと判定されると、処理がステップＳ１２に進む。
【００５０】
ステップＳ１２では、縮小画像Ｉｍ２およびゴミ箱アイコンＴｒを消去する。すなわち、Ａ点またはＢ点を検出できない場合とは、縮小画像Ｉｍ２をつまむ操作が解除され、親指Ｆ１と人差し指Ｆ２とが液晶パネル７から離されたことである。このとき、ユーザにより画像データを削除する旨の指示がなされたものと判定して、縮小画像Ｉｍ２およびゴミ箱アイコンＴｒを消去する。そして、縮小画像Ｉｍ２に対応する画像Ｉｍ１の画像データを記録デバイス６から削除する処理が行われる。そして、処理がステップＳ１３に進む。ステップＳ１３では、記録デバイス６から次の画像データが読みだされて液晶パネル７に表示される。
【００５１】
＜変形例＞
以上、一実施形態について具体的に説明したが、表示制御装置の構成、処理等において各種の変形が可能であることは言うまでもない。以下、複数の変形例について説明する。
【００５２】
変形例１
始めに変形例１について説明する。変形例１は、液晶パネルの大きさが大きい場合に好適な例である。図７は、変形例１における液晶パネル１７の表示例である。液晶パネル１７は、例えば、水平および垂直方向に４つの領域に分割される。そして、液晶パネル１７の第１象限に縮小画像Ｉｍ２が表示されたとする。なお、液晶パネル１７に表示されている画像Ｉｍ１を縮小し、縮小画像Ｉｍ２を表示する処理は、上述した一実施形態と同様であるので、重複した説明を省略する。
【００５３】
画像Ｉｍ１の縮小に伴って生じる画像のない領域にゴミ箱アイコンＴｒが表示される。このとき、縮小画像Ｉｍ２が表示される第１象限以外の象限にゴミ箱アイコンＴｒを表示すると、縮小画像Ｉｍ２をゴミ箱アイコンＴｒの近傍まで移動させる距離が長くなる可能性がある。そこで、この変形例１では、縮小画像Ｉｍ２が表示される象限と同一象限にゴミ箱アイコンＴｒを表示させる。
【００５４】
図７に示すように、まず、縮小画像Ｉｍ２を含む仮想領域Ｉｓを設定する。仮想領域Ｉｓは、縮小画像Ｉｍ２が表示される第１象限に設定される。仮想領域Ｉｓは、液晶パネル１７の相似形とされ、液晶パネル１７と同様に４つの象限を有する。
【００５５】
このとき、液晶パネル１７において縮小画像が表示される象限と、仮想領域Ｉｓにおいて縮小画像Ｉｍ２が表示される象限との位置関係が同一の象限とされるように仮想領域Ｉｓが設定される。すなわち、縮小画像Ｉｍ２は液晶パネル１７の第１象限に表示されている。そこで、仮想領域Ｉｓにおける第１象限に縮小画像Ｉｍ２が表示されるようにして仮想領域Ｉｓが設定される。
【００５６】
そして、仮想領域Ｉｓにおいて、縮小画像Ｉｍ２が表示される象限とは異なる象限にゴミ箱アイコンＴｒが表示される。例えば、仮想領域Ｉｓの第１象限とは異なる仮想領域Ｉｓの第３象限にゴミ箱アイコンＴｒが表示される。このようにしてゴミ箱アイコンＴｒを表示させることで、液晶パネル１７の大きさが大きい場合でも、操作性を考慮した適切な位置にゴミ箱アイコンＴｒを表示させることができる。
【００５７】
なお、仮想領域Ｉｓの大きさは、縮小画像Ｉｍ２とゴミ箱アイコンＴｒとの距離が所定の長さ以上確保できるように適切に設定される。
【００５８】
変形例２
次に、図８を参照して変形例２について説明する。上述した一実施形態および変形例１では、親指Ｆ１および人差し指Ｆ２を使用した２点を指示し、親指Ｆ１および人差し指Ｆ２を近づける操作に応じて画像を縮小したものである。この変形例２では、１箇所を指示する位置指示操作に応じて画像を縮小するものである。
【００５９】
図８Ａに示すように、液晶パネル７には画像Ｉｍ１が表示されている。画像Ｉｍ１の所定の１箇所の位置に、例えば人差し指Ｆ２を触れる位置指示操作がなされる。そして、人差し指Ｆ２を時計回りの方向に回転させる回転操作がなされる。人差し指Ｆ２の回転操作に追従するようにして画像Ｉｍ１が縮小し、縮小画像Ｉｍ２が表示される。このとき、図８Ｂに示すように、画像Ｉｍ１の縮小に伴って生じる画像のない領域に、ゴミ箱アイコンＴｒが表示される。また、人差し指Ｆ２を反時計回りに回転させることでキャンセル操作がなされ、キャンセル操作に追従するようにして縮小画像Ｉｍ２が拡大される。人差し指Ｆ２の回転方向と回転量とは、タッチパネル５から供給される信号に基づいてＣＰＵ１によって検出可能とされる。検出結果に基づいて画像の縮小および拡大がＣＰＵ１により制御される。
【００６０】
図９は、変形例２における処理の流れを示すフローチャートである。図９に示す処理は、ＣＰＵ１の制御によって実行される。ステップＳ２１では、液晶パネル７に画像Ｉｍ１が表示される。そして、処理がステップＳ２２に進む。
【００６１】
ステップＳ２２では、画像縮小操作がなされたか否かが判定される。変形例２における画像縮小操作は、画面Ｉｍ１の１箇所が人差し指Ｆ２により触れられ、人差し指Ｆ２を時計回りに回転させる操作とされる。画像縮小操作なされていないと判定されると、処理がステップＳ２２に戻りステップＳ２２の判定を繰り返す。画像縮小操作がなされたと判定されると、処理がステップＳ２３に進む。
【００６２】
ステップＳ２３では、画像縮小操作に応じて画像Ｉｍ１を縮小する処理が行われる。画像Ｉｍ１が縮小し、縮小画像Ｉｍ２が液晶パネル７に表示される。例えば、人差し指Ｆ２の回転量に応じて段階的に画像Ｉｍ１が縮小する。そして、処理がステップＳ２４に進む。ステップＳ２４では、画像Ｉｍ１の縮小に伴って生じる画像のない領域にゴミ箱アイコンＴｒが表示される。そして、処理がステップＳ２５に進む。ステップＳ２５では、ゴミ箱アイコンＴｒの蓋が開く表示が行われる。そして、処理がステップＳ２６に進む。
【００６３】
ステップＳ２６では、キャンセル操作がなされたか否かが判定される。この変形例２におけるキャンセル操作は、例えば、人差し指Ｆ２を反時計回りに回転させる操作とされる。キャンセル操作がなされたと判定されると、処理がステップＳ２１に戻る。ステップＳ２１では、キャンセル操作に伴い縮小画像Ｉｍ２が拡大していくことで画像Ｉｍ１が表示される。キャンセル操作がなされていないと判定されると、処理がステップＳ２７に進む。
【００６４】
ステップＳ２７では、人差し指Ｆ２によって指示された１箇所（Ａ点）がタッチパネル５において検出可能であるか否かが判定される。検出可能であると判定されると、処理がステップＳ２６に戻りステップＳ２６の判定処理が行われる。ステップＳ２７において、液晶パネル７から人差し指Ｆ２が離される操作がなされ、Ａ点が検出できないと判定されると、処理がステップＳ２８に進む。
【００６５】
キャンセル操作がなされずに液晶パネル７から人差し指Ｆ２が離される操作がなされたことで、画像データを削除する指示がなされたものと判定される。したがって、ステップＳ２８では、縮小画像Ｉｍ２およびゴミ箱アイコンＴｒを液晶パネル７から消去する処理が行われる。そして、縮小画像Ｉｍ２に対応する画像Ｉｍ１の画像データが記録デバイス６から削除される。そして、処理がステップＳ２９に進み、次の画像データが記録デバイス６から読みだされて表示される。
【００６６】
なお、ゴミ箱アイコンＴｒを表示するタイミングやゴミ箱アイコンＴｒの蓋を開くタイミングは、画像Ｉｍ１が縮小した割合に応じて決定されても良い。例えば、画像Ｉｍ１が第１の閾値（例えば、画像Ｉｍ１の大きさの５０％）以下に縮小されたときにゴミ箱アイコンＴｒを表示させる。そして、画像Ｉｍ１がさらに縮小され、画像Ｉｍ１が第２の閾値（例えば、画像Ｉｍ１の大きさの３０％）以下に縮小されたときにゴミ箱アイコンＴｒの蓋を開けるように表示されてもよい。
【００６７】
変形例３
次に、図１０を参照して変形例３について説明する。変形例３は、例えば、人差し指Ｆ２を使用して画像Ｉｍ１の１箇所を指示し、人差し指Ｆ２の動きに追従して画像Ｉｍ１を縮小させる例である。例えば、図１０Ａに示すように、画像Ｉｍ１の図面に向かって左上コーナー付近の１箇所を人差し指Ｆ２で触れる位置指示操作がなされる。そして、人差し指Ｆ２を対角方向（図面に向かって右下コーナーの方向）に移動させる操作がなされる。すると、図１０Ｂに示すように、人差し指Ｆ２の動きに追従して画像Ｉｍ１が縮小し、縮小画像Ｉｍ２が表示される。そして、画像Ｉｍ１の縮小に伴って生じる画像のない領域にゴミ箱アイコンＴｒが表示される。もちろん、対角方向は、左上から右下だけでなく、右上から左下へ、右下から左上へ、左下から右上へとされても良い。
【００６８】
変形例３における処理の流れは、図９に示すフローチャートと略同様である。以下、異なる点を中心に説明する。変形例３では、ステップＳ２２における画像縮小操作が人差し指Ｆ２により指示した１箇所を対角方向に動かす操作とされる。また、ステップＳ２６におけるキャンセル操作が異なる。変形例３のキャンセル操作は、画像Ｉｍ１を縮小するために動かした方向と反対の方向に人差し指Ｆ２を動かす操作である。つまり、図１０Ａに示すように、画像Ｉｍ１を縮小させるために人差し指Ｆ２を図面に向かって左上から右下に動かしたときは、人差し指Ｆ２を右下から左上に動かす操作がキャンセル操作とされる。その他の処理は、図９に示すフローチャートと同様である。
【００６９】
変形例４
次に、図１１を参照して変形例４について説明する。図１１Ａに示すように、液晶パネル７に画像Ｉｍ１が表示される。例えば、人差し指Ｆ２を使用して、画像Ｉｍ１の所定の１箇所を触れる位置指示操作がなされる。そして、所定時間の間に連続して数回（例えば３回）液晶パネル７を人差し指Ｆ２で叩く操作がなされる。すると、図１１Ｂに示すように、画像Ｉｍ１が縮小して縮小画像Ｉｍ２が表示される。画像Ｉｍ１の縮小に伴って生じる画像のない領域にゴミ箱アイコンＴｒが表示される。また、画像Ｉｍ１の縮小に伴って生じる画像のない領域に戻るアイコンＢａが表示される。
【００７０】
なお、指示した１箇所を叩く回数に応じて画像Ｉｍ１が段階的に縮小されるようにしてもよい。指示した１箇所を叩く回数に応じてゴミ箱アイコンＴｒが表示されるタイミングおよびゴミ箱アイコンＴｒの蓋が開かれるタイミングが決定されてもよい。
【００７１】
変形例４における処理の流れは、図９に示すフローチャートと略同様である。以下、異なる点を中心に説明する。変形例４では、ステップＳ２２における画像縮小操作が人差し指Ｆ２により指示した画像Ｉｍ１の１箇所を叩く操作とされる。また、ステップＳ２６におけるキャンセル操作が異なる。変形例４におけるキャンセル操作は、戻るアイコンＢａを触れる操作とされる。ステップＳ２７における処理は、Ａ点を検出できるか否かでなく、ゴミ箱アイコンＴｒが触れられたか否かが判定される処理とされる。すなわち、ステップＳ２７において、ゴミ箱アイコンＴｒが触れられたと判定されると、処理がステップＳ２８に進み、ゴミ箱アイコンＴｒが触れられないと判定されると、処理がステップＳ２６に戻る。その他の処理は、図９に示すフローチャートと同様である。
【００７２】
変形例５
次に、図１２を参照して変形例５について説明する。図１２Ａに示すように、液晶パネル７に画像Ｉｍ１が表示される。例えば、人差し指Ｆ２を使用して、画像Ｉｍ１の１箇所を触れる位置指示操作がなされる。そして、所定時間の間、位置指示操作が継続される。所定時間が経過すると、図１２Ｂに示すように、画像Ｉｍ１が縮小して液晶パネル７の所定の位置に縮小画像Ｉｍ２が表示される。画像Ｉｍ１の縮小に伴って生じる画像のない領域にゴミ箱アイコンＴｒが表示される。また、画像Ｉｍ１の縮小に伴って生じる画像のない領域に戻るアイコンＢａが表示される。このように、液晶パネル７の１箇所を指示する操作を所定時間の間、継続することで画像Ｉｍ１を縮小させることもできる。
【００７３】
なお、１箇所を指示する操作の継続時間に応じて画像Ｉｍ１が段階的に縮小されるようにしてもよい。１箇所を指示する操作時間に応じてゴミ箱アイコンＴｒが表示されるタイミングおよびゴミ箱アイコンＴｒの蓋が開かれるタイミングが決定されてもよい。
【００７４】
変形例５における処理の流れは、図９に示すフローチャートと略同様である。以下、異なる点を中心に説明する。変形例５では、ステップＳ２２における画像縮小操作が、人差し指Ｆ２により画像Ｉｍ１の１箇所を触れる操作が所定時間の間、継続する操作とされる。また、ステップＳ２６におけるキャンセル操作は、変形例５では、戻るアイコンＢａを触れる操作とされる。また、ステップＳ２７における処理は、Ａ点を検出できるか否かでなく、ゴミ箱アイコンＴｒが触れられたか否かを判定する処理とされる。すなわち、ステップＳ２７において、ゴミ箱アイコンＴｒが触れられたと判定されると、処理がステップＳ２８に進む。ゴミ箱アイコンＴｒが触れられないと判定されると、処理がステップＳ２６に戻る。その他の処理は、図９に示すフローチャートと同様である。
【００７５】
変形例６
次に、図１３を参照して変形例６について説明する。図１３Ａに示すように、液晶パネル７に画像Ｉｍ１が表示される。例えば、人差し指Ｆ２を使用して、画像Ｉｍ１の１箇所を強く押す位置指示操作がなされる。位置指示操作がなされると、図１３Ｂに示すように、画像Ｉｍ１が縮小して縮小画像Ｉｍ２が表示される。画像Ｉｍ１の縮小に伴って生じる画像のない領域にゴミ箱アイコンＴｒが表示される。また、画像Ｉｍ１の縮小に伴って生じる画像のない領域に戻るアイコンＢａが表示される。このように、液晶パネル７の１箇所を強く押す操作により画像Ｉｍ１を縮小させることもできる。
【００７６】
変形例６における処理の流れは、図９に示すフローチャートと略同様である。以下、異なる点を中心に説明する。変形例６では、ステップＳ２２における画像縮小操作が、画像Ｉｍ１の１箇所を強く押す位置指示操作とされる。ステップＳ２６におけるキャンセル操作は、戻るアイコンＢａを触れる操作とされる。ステップＳ２７における処理は、Ａ点を検出できるか否かでなく、ゴミ箱アイコンＴｒが触れられたか否かを判定する処理とされる。すなわち、ステップＳ２７において、ゴミ箱アイコンＴｒが触れられたと判定されると、処理がステップＳ２８に進む。ゴミ箱アイコンＴｒが触れられないと判定されると、処理がステップＳ２６に戻る。その他の処理は、図９に示すフローチャートと同様である。
【００７７】
変形例７
次に、図１４を参照して変形例７について説明する。この変形例７は、上述した変形例３をさらに変形したものである。変形例３では、画像Ｉｍ１の１箇所（例えば左上付近）に対して１本の指を触れることで位置指示操作がなされたものである。この変形例７では、図１４Ａに示すように、画像Ｉｍ１の図面に向かって左上コーナー付近の２点に対して２本の指を触れることで位置指示操作がなされる。２本の指は、例えば、人差し指Ｆ２および中指Ｆ３が使用される。人差し指Ｆ２および中指Ｆ３を対角方向に動かすことで、２本の指の動きに追従して画像Ｉｍ１が縮小し、縮小画像Ｉｍ２が表示される。
【００７８】
変形例７における処理の流れは、図９に示すフローチャートと略同様である。以下、異なる点を中心に説明する。変形例７では、ステップＳ２２における画像縮小操作が人差し指Ｆ２および中指Ｆ３により指示した２点を対角方向に動かす操作とされる。また、ステップＳ２６におけるキャンセル操作が異なる。変形例７のキャンセル操作は、例えば、人差し指Ｆ２および中指Ｆ３を動かす方向を、画像Ｉｍ１を縮小するために動かした方向と反対の方向に動かす操作である。図１４Ａに示すように、画像Ｉｍ１を縮小させるために人差し指Ｆ２および中指Ｆ３を図面に向かって左上から右下に動かした場合は、人差し指Ｆ２および中指Ｆ３を右下から左上に動かす操作がキャンセル操作とされる。また、ステップＳ２７における処理では、人差し指Ｆ２および中指Ｆ３で指示される２点が検出可能であるか否かが判定される。その他の処理は、図９に示すフローチャートと同様である。
【００７９】
なお、液晶パネル７に対して指ではなく、スタイラスなどの操作具を使用して上述した１箇所または２箇所を指示する位置指示操作を行うこともできる。
【００８０】
変形例８
次に、図１５を参照して変形例８について説明する。変形例８は、位置入力部の他の例として、タッチパネル５に代えてマウス（図示は省略している）を使用するものである。
【００８１】
図１５Ａに示すように、液晶パネル７に画像Ｉｍ１およびマウスポインタＰが表示されている。画像Ｉｍ１の１箇所にマウスポインタＰをあわせる。そして、マウスに設けられた左ボタン（図示は省略している）を押して画像Ｉｍ１の１箇所を指示する位置指示操作がなされる。マウスの左ボタンを押したまま、マウスポインタＰが時計回りに回転するようにマウスを動かす。すると、図１５Ｂに示すように、画像Ｉｍ１が縮小し、縮小画像Ｉｍ２が表示される。また、画像Ｉｍ１の縮小に伴って生じる画像のない領域にゴミ箱アイコンＴｒが表示される。なお、画像Ｉｍ１の１箇所を指示する操作は、マウスの左ボタンでなく、右ボタンが押される操作やホイールが押される操作とされてもよい。ホイールの回転操作に応じて画像Ｉｍ１が縮小されてもよい。
【００８２】
変形例８における動作は、図９に示すフローチャートと略同様である。以下、異なる点を中心に説明する。ステップＳ２２の画像縮小操作は、マウスポインタＰを画像Ｉｍ１の１箇所にあわせ、マウスの左ボタンを押すことで画像Ｉｍ１の任意の１点を指示する。そして、マウスポインタＰが時計回りに回転するように、マウスの左ボタンを押したままマウスを動かす操作とされる。ステップＳ２６のキャンセル操作は、マウスポインタＰが反時計回りに回転するように、マウスの左ボタンを押したままマウスを動かす操作とされる。
【００８３】
ステップＳ２７の判定処理は、例えば、マウスの左ボタンを押す操作が解除されたか否かが判定される。すなわち、左ボタンを押す操作が解除されたと判定されると、処理がステップＳ２８に進む。左ボタンを押さていると判定されると、処理がステップＳ２６に戻る。なお、このステップＳ２７における処理は、ゴミ箱アイコンＴｒがクリックされたか否かを判定するようにしてもよい。例えば、ゴミ箱アイコンＴｒがマウス操作によりクリックされたと判定されると、処理がステップＳ２８に進む。ゴミ箱アイコンＴｒがクリックされていないと判定されると、処理がステップＳ２６に戻るようにしてもよい。
【００８４】
変形例９
次に、図１６を参照して変形例９について説明する。図１６Ａに示すように、液晶パネル７に画像Ｉｍ１およびマウスポインタＰが表示されている。図面に向かって画像Ｉｍ１の左上コーナー付近の１箇所にマウスポインタＰをあわせる。そして、マウスに設けられた左ボタンを押して画像Ｉｍ１の左上コーナー付近の１箇所を指示する操作が行われる。マウスの左ボタンを押したまま、マウスポインタＰが対角方向である左上から右下へと軌跡を描くようにマウスを動かす操作がなされる。すると、図１６Ｂに示すように、画像Ｉｍ１が縮小し、縮小画像Ｉｍ２が表示される。画像Ｉｍ１の縮小に伴って生じた画像のない領域に、ゴミ箱アイコンＴｒが表示される。なお、画像Ｉｍ１の１箇所を指示する操作は、マウスの左ボタンでなく、左ボタンが押される操作やホイールが押される操作とされてもよい。また、対角方向は、左上から右下だけでなく、右上から左下へ、または、右下から左上へ、左下から右上へとされても良い。
【００８５】
変形例９における動作は、図９に示すフローチャートと略同様である。以下、異なる点を中心に説明する。ステップＳ２２における画像縮小操作は、例えば、マウスポインタＰを画像Ｉｍ１の左上コーナー付近の１箇所にあわせ、マウスポインタＰが対角線上を左上から右下へと移動するように、マウスの左ボタンを押したままマウスを動かす操作とされる。また、ステップＳ２６のキャンセル操作は、例えば、マウスポインタＰが、画像Ｉｍ１を縮小するための方向とは反対の方向に対角線上を移動するように、マウスの左ボタンを押したままマウスを動かす操作とされる。具体的には、マウスポインタＰが対角線上を右下から左上へと移動するように、左ボタンを押したままマウスを動かす操作がキャンセル操作とされる。
【００８６】
ステップＳ２７の判定処理は、例えば、マウスの左ボタンを押す操作が解除されたか否かが判定される。左ボタンを押す操作が解除されたと判定されると、処理がステップＳ２８に進む。左ボタンが押されていると判定されると、処理がステップＳ２６に戻る。なお、このステップＳ２７における処理は、ゴミ箱アイコンＴｒがクリックされた否かを判定するようにしてもよい。すなわち、ゴミ箱アイコンＴｒがクリックされたと判定されると、処理がステップＳ２８に進む。ゴミ箱アイコンＴｒがクリックされていないと判定されると、処理がステップＳ２６に戻るようにしてもよい。
【００８７】
変形例１０
次に、図１７を参照して変形例１０について説明する。図１７Ａに示すように、液晶パネル７に画像Ｉｍ１およびマウスポインタＰが表示されている。画像Ｉｍ１の１箇所にマウスポインタＰをあわせる。そして、マウスに設けられた左ボタンを押して画像Ｉｍ１の１箇所を指示する位置指示操作がなされる。マウスの左ボタンを押し続ける操作が所定時間以上継続されると、図１７Ｂに示すように画像Ｉｍ１が縮小され、縮小画像Ｉｍ２表示される。画像Ｉｍ１の縮小に伴って生じる画像のない領域に、ゴミ箱アイコンＴｒが表示される。画像Ｉｍ１の縮小に伴って生じる画像のない領域に、さらに、戻るアイコンＢａが表示される。
【００８８】
変形例１０における動作は、図９に示すフローチャートと略同様である。以下、異なる点を中心に説明する。ステップＳ２２における画像縮小操作は、例えば、マウスポインタＰを画像Ｉｍ１の１箇所にあわせ、マウスの左ボタンを所定時間以上押しつづける操作とされる。また、ステップＳ２６のキャンセル操作は、例えば、戻るアイコンＢａがクリックされる操作とされる。
【００８９】
ステップＳ２７の判定処理は、ゴミ箱アイコンＴｒがクリックされたか否かが判定される。ステップＳ２７において、ゴミ箱アイコンＴｒがクリックされたと判定されると、処理がステップＳ２８に進む。ゴミ箱アイコンＴｒがクリックされていないと判定されると、処理がステップＳ２６に戻る。
【００９０】
なお、画像Ｉｍ１の１箇所を指示し、画像Ｉｍ１を縮小する操作に使用されるマウスのボタンは、左ボタンに限られることはない。例えば、マウスに設けられる右ボタンやホイールが押されてもよい。
【００９１】
変形例１１
この他にも、例えば、図１８Ａおよび図１８Ｂに示すように、マウスの右ボタンをクリックすることでメニュー画面Ｍｅを表示させ、メニュー画面Ｍｅの編集機能を選択することで画像Ｉｍ１を縮小させることもできる。画像Ｉｍ１が縮小されることで縮小画像Ｉｍ２が表示される。画像Ｉｍ１の縮小に伴って生じる画像のない領域にゴミ箱アイコンＴｒおよび戻るアイコンＢａが表示される。
【００９２】
変形例１２
次に、図１９を参照して変形例１２について説明する。変形例１２は、マウスでなくズームキーやホイール（図示は省略している）により画像Ｉｍ１を縮小するものである。図１９Ａに示すように、液晶パネル７に画像Ｉｍ１が表示されている。このとき、ズームキーが押され続けることで画像縮小操作がなされ、図１９Ｂに示すように画像Ｉｍ１が縮小し、縮小画像Ｉｍ２が表示される。そして、画像Ｉｍ１の縮小に伴って生じる画像のない領域にゴミ箱アイコンＴｒが表示される。
【００９３】
また、ズームキーでなく、例えば、球状のホイールを右に回すことで画像Ｉｍ１を縮小し、画像Ｉｍ１の縮小に伴って生じる領域にゴミ箱アイコンＴｒを表示させるようにすることもできる。このようにマウス以外の手段によって画像Ｉｍ１を縮小する操作を行うこともできる。
【００９４】
変形例１３
次に、図２０を参照して変形例１３について説明する。変形例１３では、表示制御装置１０が携帯式の装置とされ、図２０Ａに示すように、表示制御装置１０が有する筺体１１に液晶パネル７が設けられる。画像Ｉｍ１が液晶パネル７に表示される。また、表示制御装置１０には、図示しない加速度センサが設けられる。加速度センサは、例えばジャイロセンサとされる。筺体１１の動きがジャイロセンサにより検出され、検出された動き情報がＣＰＵ１に対して供給される。
【００９５】
例えば、図２０Ａに示すように、液晶パネル７に対して並行となる方向に筺体１１が振られる。筺体１１を振る方向は、上下方向、左右方向、斜め方向のいずれであってもよい。筺体１１が振られることで生じる振動がジャイロセンサによって検出される。ジャイロセンサによって検出された振動が動き情報としてＣＰＵ１に対して供給される。ＣＰＵ１は、動き情報に応じて、画像Ｉｍ１が所定の割合で縮小された縮小画像Ｉｍ２を液晶パネル７の所定の領域に表示する制御を行う。すると、図２０Ｂに示すように、液晶パネル７に縮小画像Ｉｍ２が表示される。画像Ｉｍ１の縮小に伴って生じる画像のない領域に、ゴミ箱アイコンＴｒおよび戻るアイコンＢａが表示される。
【００９６】
ゴミ箱アイコンＴｒが触れられると、縮小画像Ｉｍ２およびゴミ箱アイコンＴｒ、戻るアイコンＢａが消去され、縮小画像Ｉｍ２に対応する画像Ｉｍ１の画像データが削除される。そして、次の画像データが読みだされて液晶パネル７に表示される。戻るアイコンＢａが触れられたときは、縮小画像Ｉｍ２に代えて画像Ｉｍ１が表示される。
【００９７】
なお、筺体１１を振る方向は、液晶パネル７と並行な方向に限られない。例えば、図２１に示すように、筺体１１を手前および奥の方向に押し込むように振ることで、画像Ｉｍ１が縮小されて縮小画像Ｉｍ２が表示されるようにしてもよい。振動量に応じて画像Ｉｍ１が段階的に縮小されてもよい。
【００９８】
上述した変形例に限られず、この他にも種々の変形が可能である。例えば、一実施形態および変形例におけるキャンセル操作の内容は、適宜変更可能である。また、画像データを削除する際の判定処理の内容も、適宜変更可能である。また、キャンセル操作は、具体的に特定の操作がなされなくてもよい。すなわち、所定時間、画像データを削除するための処理が行われなければ、キャンセル操作がなされたものとして元の大きさの画像を表示するようにしてもよい。
【００９９】
ゴミ箱アイコンＴｒを表示するタイミングやゴミアイコンＴｒの蓋を開ける表示を行うタイミングは、適宜変更可能である。例えば、図５のステップＳ８における判定を、ゴミ箱アイコンＴｒの中心から所定値ｗ以内の領域に縮小画像Ｉｍ２が移動されたか否かを判定するようにしてもよい。また、ゴミ箱アイコンＴｒが表示されている液晶パネル７の領域（図６を使用して説明した第１象限等）に、縮小画像Ｉｍ２が移動されたことに応じてゴミ箱アイコンＴｒを表示させたり、ゴミ箱アイコンＴｒの蓋を開くようにしてもよい。段階的に画像Ｉｍ１が縮小されるときは、画像Ｉｍ１が縮小する割合に応じてゴミ箱アイコンＴｒを表示するタイミングやゴミアイコンＴｒの蓋を開ける表示を行うタイミングが決定されてもよい。
【０１００】
上述した一実施形態および変形例では、画像データが記録デバイス６に記録されているものとして説明したが、記録デバイス６に記録された画像データだけでなく、図示しないインタフェースを介して外部機器から取得した画像データや、ネットワークを介して取得した画像データを液晶パネル７に表示することも可能とされる。また、表示制御装置１０から外部機器に対して画像データを削除する命令を送信するようにし、外部機器で画像データを削除する処理が行われるようにしてもよい。
【０１０１】
上述した一実施形態および変形例では、画像データに対して実行する処理を削除処理として説明したが、削除処理に限られない。例えば、画像データを保護（プロテクト）する処理やお気に入りへの登録処理、画像データを自動でアップロードする処理、画像データを所定のフォルダに格納する処理など種々の処理を実行することができる。それぞれの処理に対応した異なる表示情報が、画像の縮小に伴って生じる画像のない領域に表示される。なお、画像の縮小に伴って生じる領域に、複数の表示情報が表示されてもよい。複数の表示情報を異なる象限にそれぞれ表示させることもできる。
【０１０２】
上述した一実施形態では、親指Ｆ１および人差し指Ｆ２を使用して液晶パネル７の２箇所の位置に対して位置指示操作を行ったが、２箇所以上の位置に対して位置指示操作を行うこともできる。例えば、３本の指を使用して３箇所の位置に対する位置指示操作がなされてもよい。位置指示操作を行った３本の指を１箇所に向かって動かすことで画像をつかむ操作がなされ、画像をつかむ操作に応じて画像が縮小されてもよい。
【０１０３】
上述した一実施形態および変形例１では、液晶パネル７および液晶パネル１７が４つの領域に分割されるとしたがこれに限られることはなく、例えば、３つの領域や８つの領域に分割してもよい。また、変形例１における仮想領域Ｉｓが４つの領域を有するものとして説明したがこれに限られることなく、例えば、３つや８つの領域を有するものとしてもよい。また、各領域の大きさは均等でなくてもよい。
【０１０４】
上述した一実施形態および複数の変形例は、相互に組み合わせることもできる。例えば、指の操作によって画像を縮小することもでき、且つ、スタイラス等の物理的手段により画像を縮小できる表示制御装置として構成することもできる。また、技術的処理に矛盾が生じない範囲において、一実施形態および変形例におけるそれぞれの処理が他の例に転用可能とされる。
【０１０５】
なお、一実施形態および変形例における表示制御装置の構成や作用は、表示制御装置のほか、表示制御方法、表示制御プログラム、表示制御プログラムを記録した記録媒体として実現することが可能である。
【符号の説明】
【０１０６】
１・・・・ＣＰＵ
４・・・・ディジタル信号処理部
５・・・・タッチパネル
７・・・・液晶パネル
１０・・・表示制御装置
Ｉｍ１・・画像
Ｉｍ２・・縮小画像
Ｔｒ・・・ゴミ箱アイコン
【図１】
2014209396.tif 000003
【図２】
2014209396.tif 000004
【図３】
2014209396.tif 000005
【図４】
2014209396.tif 000006
【図５】
2014209396.tif 000007
【図６】
2014209396.tif 000008
【図７】
2014209396.tif 000009
【図８】
2014209396.tif 000010
【図９】
2014209396.tif 000011
【図１０】
2014209396.tif 000012
【図１１】
2014209396.tif 000013
【図１２】
2014209396.tif 000014
【図１３】
2014209396.tif 000015
【図１４】
2014209396.tif 000016
【図１５】
2014209396.tif 000017
【図１６】
2014209396.tif 000018
【図１７】
2014209396.tif 000019
【図１８】
2014209396.tif 000020
【図１９】
2014209396.tif 000021
【図２０】
2014209396.tif 000022
【図２１】
2014209396.tif 000023